(57)【特許請求の範囲】
【請求項１】
通水性単位ケースの複数個が収納された集合体ブロックの複数個がコンクリート台上の躯体内に配置された人工魚礁であって、前記通水性単位ケースは、その内部がホタテ貝殻と該ホタテ貝殻間にパイプ状のスペーサを介して間隙を形成して充填されたものであり、集合体ブロックは、前記通水性単位ケースの複数個が平行又は交差して通水性単位ケース間に間隙を形成して収納されものであり、集合体ブロックは、コンクリート台上に置き台を設けて各集合体ブロックとコンクリート台との間に通水性の間隙を設けて躯体内に配置されてなる貝殻充填人工魚礁。
【発明の詳細な説明】
【０００１】
【発明の属する技術分野】
本発明は、主としてキジハタ、カサゴ、アイナメ等の非回遊魚(定棲魚)の放流種苗の保護効果の高い貝殻充填人工魚礁に関する。
【０００２】
【従来の技術】
魚の繁殖や定棲を目的とする人工魚礁の初期のものは、単に魚が通過できる壁面又は枠体の内部に魚巣機能を持たせたものであった(例えば、特公昭50-15717号、特開昭59-82030号、実開昭52-134589号、実開昭52-158095号、実開昭61-43875号)。しかし、人工魚礁に用いる集魚ケース又は集魚パネルは、人工魚礁の目的である集魚、繁殖効果を左右するものである。そこで、本出願人は特開平６-141727号においてメッシュ構造の通水性網体にカキ殻等を充填した集魚ケースを提案した。この集魚ケースは、充填したカキ殻に餌料生物又は水質浄化に役立つ微生物の繁殖を可能にすることによって、集魚及び繁殖効果を高めたものである。この集魚ケースを単体又はパネル化して、既設又は新設のコンクリート又は鋼製の人工魚礁等に取付けて使用するようになっている。
【０００３】
上述した集魚ケースは、プラスチックや鋼製の剛性ネットを用い、プラスチックのパイプに無数の孔を設けて通水性を達成するため、あまり強度は高くない。一方、例えば人工魚礁への取付の際には、集魚ケースに鋼製のワイヤーやボルトを貫通させてこれらを取付具とし、このワイヤーやボルトを人工魚礁の構造体へ結んだり、溶接したりしていた。この時、ワイヤーやボルトの貫通部に応力が集中し、強度の低い集魚ケースが壊れる可能性があった。
【０００４】
また、ワイヤーやボルトを貫通する形の取付具を溶接して集魚ケース同士を連結し、パネル化する場合、取付具付近に集魚ケースが露出していることから、溶接作業中に集魚ケースを傷つける恐れがあり、問題があった。そこで、こうした集魚ケースのパネル化、そして人工魚礁への取付手段について、取付具の負荷により集魚ケースを傷つけないようにすると共に、パネル化や既設又は新設の人工魚礁への取付が容易に行えるように、先願である特開平６-141727号の集魚ケースを再考し、ケースの耐久性等も併せて検討した貝殻充填人工魚礁を完成して特願平６-29518号(特開平７-236385号)で提案した。
【０００５】
その構造は、内部にカキ殻等を充填した通水性の網体であり、ストッパを貫通させたこの網体端を鋼製チャンネルへ嵌入し、前記ストッパ端をこのチャンネルに結合、かつ、ストッパ周囲のチャンネル内へセメントモルタルを充填したことを特徴とする。このチャンネル型のものは、複数本の通水性網体を長尺の鋼製チャンネルへ嵌入し、結合するとパネルにすることができるようになっている。
【０００６】
また、ストッパを貫通させた通水性網体端を密閉された鋼製パイプの開放端に挿入して、前記ストッパ端をこのパイプに結合、かつストッパ周囲のパイプ内へセメントモルタルを充填してなる人工魚礁用集魚ケースでもよい。このパイプ型の場合、その複数本が前記鋼製パイプ部分を溶接にて連結することでパネルとすることができる。
【０００７】
このほか、ボルトを突設したストッパを貫通させた通水性の網体端を、ボルトに対応した位置に開孔を有する蓋面で閉ざされた合成樹脂製パイプの開放端に、前記ボルトが蓋面の開孔から突出するように挿入して、前記ボルトをこの蓋面に固定、かつ、ストッパ周囲のパイプ内へセメントモルタルを充填してなる人工魚礁用集魚ケースも提案している。このボルト取付型では、その複数本をボルトの長尺の鋼材へのボルト連結により連結してパネルとすることができるようになっている。
【０００８】
このような特開平７-236685号で提案した構造の貝殻充填人工魚礁を実際に使用した場合に、使用場所、魚種、潮流、波浪、耐久性等を検討してみると、充填する貝殻によっては特開平７-236685号で使用したカキ殻以外のものが人工魚礁としての機能をより良く発揮すること、潮流の著しく速い場所や波浪の大きい場所では破損のおそれがあることなど、改良の必要性が指摘されるようになってきた。また、近年、ホタテ貝の殻のように消費後の殻を廃棄処分しようとしても、海洋投棄等が不可能で困難な状態であり、その問題の解決も必要となってきた。
【０００９】
【発明が解決しようとする課題】
その問題を、本発明者は特開平７-236685号で提案した人工魚礁に更なる改良を加えて、樹脂製又は鋼製の通水性ケース内に貝殻を充填した単位ケースの集合体からなる人工魚礁において、単位ケースを通水性筒状ケースとし、該ケース内にホタテ貝殻を順次積層して充填したもので構成したことを特徴とする貝殻充填人工魚礁を特開平９-163894号で提案した。また、同単位ケース内にホタテ貝殻とカキ殻、アコヤ貝殻等の不定形貝殻を順次交互充填又は混合したものも好適であることを見出して同時に提案した。しかし、その後の検討の結果、キジハタ等の非回遊魚(定棲魚)の放流種苗の保護が必要とされ、本発明ではそのことが可能な構造の人工魚礁について検討した。
【００１０】
【課題を解決するための手段】
そこで、通水性ケース内へホタテ貝殻と該ホタテ貝殻間にスペーサを充填した通水性単位ケースの集合体ブロックからなる貝殻充填人工魚礁を開発した。通水性単位ケース内へホタテ貝殻と該ホタテ貝殻間にスペーサを充填した通水性単位ケースの複数個を平行又は交差させて組付け、通水性単位ケースの間にも隙間を形成した貝殻充填人工魚礁としたのである。通水性単位ケース内のホタテ貝殻は、スペーサ間でその表裏方向を異にするのが好ましい。通水性ケースの目合いより大きな魚や外敵は入れない。スペーサにはプラチック、金属、セラミック等のパイプやリングが用いられる。したがって、本発明の貝殻充填人工魚礁の構造の要旨は、通水性単位ケースの複数個が収納された集合体ブロックの複数個がコンクリート台上の躯体内に配置された人工魚礁であって、前記通水性単位ケースは、その内部がホタテ貝殻と該ホタテ貝殻間にパイプ状のスペーサを介して間隙を形成して充填されたものであり、集合体ブロックは、前記通水性単位ケースの複数個が平行又は交差して通水性単位ケース間に間隙を形成して収納されものであり、集合体ブロックは、コンクリート台上に置き台を設けて各集合体ブロックとコンクリート台との間に通水性の間隙を設けて躯体内に配置されてなることにある。
【００１１】
このような構造は、壁又は天井を有する躯体内へ前記いずれかの通水性単位ケースの集合体ブロックを配置することによって、キジハタ等の非回遊魚(定棲魚)の放流種苗の保護に適した貝殻充填人工魚礁となる。なお、本発明でいうホタテ貝殻は、ホタテ貝の殻のみを指すものではなく、一定の形状をしたものが主体である特徴を有する貝殻(定形の貝殻)を代表して総称し、ホタテ貝の殻が最も本発明の目的達成に適している。集合体ブロック又は躯体の高さ、縦横のサイズ等は水深、付近の環境によって変更することができる。
【００１２】
【発明の実施の形態】
図１〜図３に本発明の貝殻充填人工魚礁に配置する集合体ブロックの斜視図を示す。これらの集合体ブロック１は、目サイズが40×40mmでφ150mm×１mの通水性単位ケース２内へ、図４に示すような、ホタテ貝殻３と該ホタテ貝殻３，３間にパイプ状のスペーサ４を配置するように樹脂条又は鉄筋９に挿通配置して形成した通水性単位ケース２の集合を枠体５内に形成している。集合は複数列によって構成されるが、図１の例では縦方向に３列、図２の例では縦方向に２列に通水性単位ケース内へホタテ貝殻と該ホタテ貝殻間にパイプ状のスペーサ４を充填した通水性単位ケース２の複数個を平行に集合体ブロックに組付け、通水性単位ケース２の間に隙間６を形成した貝殻充填人工魚礁としたのである。隙間６及びスペーサ４で形成された間隙はキジハタの幼魚に危険を避けうる快適な棲息環境を提供できる。図１において中央の２本はケースなしでもよい。
【００１３】
このような構造で、図５に示すように、天井７を有する躯体８内へ前記いずれかの通水性単位ケース２の集合体ブロック１を多数配置することによって、キジハタ等の非回遊魚(定棲魚)の放流種苗の保護に適した貝殻充填人工魚礁とした。通水性単位ケース間でホタテ貝殻３及びパイプ状のスペーサ４の方向を異にするとより好ましい態様となる。
【００１４】
天井７の構造はホタテ貝殻３を通水性の下地とその周囲枠8aで形成された上面にバラの状態で充填している。これにより光の遮断を可能にするとともに、キジハタ等の非回遊魚へ与える餌料の培養場所にもなる。この貝殻充填人工魚礁の底部はコンクリート台10であり、それから周囲に壁11が、横方向に２列で通水性単位ケース内へホタテ貝殻と該ホタテ貝殻間にパイプ状のスペーサ４を充填した通水性単位ケース２で形成されている。これにより稚魚を大きな魚から守り、流体力を遮ることができる。複数の集合体ブロック１はコンクリート台10上に直接置くのではなく、コンクリート台10にアングル材置台を設けて集合体ブロック１とコンクリート台10との間に通水性の隙間を設けている。
【００１５】
本実施例の貝殻充填人工魚礁の生物付着面積、飼料培養体積等を表１に示す。キジハタ等の放流種苗に最適なものとなっている。
【００１６】
【表１】
0004386547.tif 000002
【００１７】
【発明の効果】
本発明によって、潮流の著しく速い場所でもキジハタ等の非回遊魚(定棲魚)の放流種苗の保護が可能となり、かつ、破損しない、耐久性のよい貝殻充填人工魚礁を提供できることとなった。また、廃棄処分に困難を極めているホタテ貝殻を有効利用できることとなった点も有意義である。
【図面の簡単な説明】
【図１】  本発明の貝殻充填人工魚礁に配置する集合体ブロックの斜視図である。
【図２】  他の例の集合体ブロックの斜視図である。
【図３】  他の例の集合体ブロックの斜視図である。
【図４】  ホタテ貝殻とスペーサの配置の様子を示す通水性単位ケースの要部側面図である。
【図５】  本発明の貝殻充填人工魚礁の斜視図である。
【符号の説明】
１  集合体ブロック
２  通水性単位ケース
３  ホタテ貝殻
４  パイプ状のスペーサ
５  枠体
６  隙間
７  天井
８  躯体
8a  周囲枠
９  鉄筋
10  コンクリート台
11  壁
【図１】
0004386547.tif 000003
【図２】
0004386547.tif 000004
【図３】
0004386547.tif 000005
【図４】
0004386547.tif 000006
【図５】
0004386547.tif 000007